(57)【特許請求の範囲】
【請求項１】
映像信号に応じて画像を表示する表示パネルと、
前記表示パネルを証明する光源であって、３つ以上の複数の発光素子群を有し、各発光素子群は、直列に接続された複数のダイオードを有し、前記複数の発光素子群の内の第１の発光素子群に属する第１の発光ダイオードおよび前記複数の発光素子群の内の第２の発光素子群に属する第２の発光ダイオードは、前記複数の発光素子群の内の第３の発光素子群に属する第３の発光ダイオードと前記第３の発光素子群に属する第４の発光ダイオードとの間に位置し、各発光素子群の内の前記複数の発光ダイオードのカソード側はアースに接続されていない、光源と、
輝度制御信号を発生する輝度信号発生回路と、
前記複数の発光素子群に対して設けられた複数の制御回路であって、前記一つの制御回路は一つの発光素子群を駆動し、前記一つの発光素子群の内の直列接続された複数の発光ダイオードに流れる電流を検出し、前記輝度制御信号および前記検出された電流に基づいて前記直列接続された複数の発光ダイオードに供給される電圧の値を調整する、複数の制御回路と
を具備する情報処理装置。
【発明の詳細な説明】
【技術分野】
【０００１】
本発明は、発光素子を光源として備えたディスプレイユニットを備えた情報処理装置に関する。
【背景技術】
【０００２】
近年、ＬＥＤ（Light Emitting Diode）などの発光素子を光源として備えたＬＣＤ（Liquid Crystal Display）のようなディスプレイユニットを備えた携帯型端末装置が開発されている。ＬＥＤは、依然は低かった発光効率も、最近では発光効率が十分に改善されている。
【０００３】
特許文献１には、第１の電源制御回路に接続されたＬＥＤと、第２の電解制御回路に接続されたＬＥＤとを交互に配置することによって、輝度むらを改善した照明装置が開示されている。
【特許文献１】特開２００１−７６５２５号公報
【発明の開示】
【発明が解決しようとする課題】
【０００４】
ＬＥＤの特性のバラツキが多いので輝度ムラが発生するが、輝度ムラを改善するために電流をフィードバックして輝度を調整することが考えられる。ところが、上述した文献において、第１の電源制御回路に接続されたＬＥＤのカソード側、および第２の電解制御回路に接続されたＬＥＤのカソード側はアースに接続されている。電流を測定すると、第１の電源制御回路に接続されたＬＥＤを含む回路に流れる電流と、第１の電源制御回路に接続されたＬＥＤを含む回路に流れる電流の平均値になってしまい、正確なフィードバックを行うことが困難である。そのため、ディスプレイユニットの輝度ムラを改善することが困難であった。
【０００５】
本発明の目的は、ディスプレイユニットの輝度ムラを改善することが可能な情報処理装置を提供することにある。
【課題を解決するための手段】
【０００６】
本発明の一例に係わる情報処理装置は、映像信号に応じて画像を表示する表示パネルと、前記表示パネルを証明する光源であって、３つ以上の複数の発光素子群を有し、各発光素子群は、直列に接続された複数のダイオードを有し、前記複数の発光素子群の内の第１の発光素子群に属する第１の発光ダイオードおよび前記複数の発光素子群の内の第２の発光素子群に属する第２の発光ダイオードは、前記複数の発光素子群の内の第３の発光素子群に属する第３の発光ダイオードと前記第３の発光素子群に属する第４の発光ダイオードとの間に位置し、各発光素子群の内の前記複数の発光ダイオードのカソード側はアースに接続されていない、光源と、輝度制御信号を発生する輝度信号発生回路と、前記複数の発光素子群に対して設けられた複数の制御回路であって、前記一つの制御回路は一つの発光素子群を駆動し、前記一つの発光素子群の内の直列接続された複数の発光ダイオードに流れる電流を検出し、前記輝度制御信号および前記検出された電流に基づいて前記直列接続された複数の発光ダイオードに供給される電圧の値を調整する、複数の制御回路とを具備する。
【発明の効果】
【０００７】
ディスプレイユニットの輝度ムラを改善することが可能になる。
【発明を実施するための最良の形態】
【０００８】
本発明の実施の形態を以下に図面を参照して説明する。
【０００９】
以下、図面を参照して本発明の実施形態を説明する。
【００１０】
まず、図１および図２を参照して、本発明の一実施形態に係る情報処理装置の構成について説明する。この情報処理装置は、バッテリ駆動可能な携帯型のノートブック型パーソナルコンピュータ１０として実現されている。
【００１１】
図１は、ノートブック型パーソナルコンピュータ１０のディスプレイユニットを開いた状態における斜視図である。本コンピュータ１０は、コンピュータ本体１１と、ディスプレイユニット１２とから構成される。ディスプレイユニット１２には、ＬＣＤ１７（Liquid Crystal Display）およびバックライトから構成される表示パネルが組み込まれており、そのＬＣＤ１７の表示画面はディスプレイユニット１２のほぼ中央に位置されている。ＬＣＤ１７は、透過型液晶パネルから構成されている。ディスプレイユニット１２においては、ＬＣＤ１７の背面にバックライトが配置されている。バックライトは、ディスプレイユニット１２の照明装置として機能する。このバックライトは、白色ＬＥＤ（White Light Emitting Diode）のような発光素子を光源として備えている。バックライトの光源に白色ＬＥＤ群を用いることによって、バックライトの長寿命化、および低消費電力を実現することが出来る。
【００１２】
ディスプレイユニット１２は、コンピュータ本体１１に支持され、そのコンピュータ本体１１に対してコンピュータ本体１１の上面が露出される開放位置とコンピュータ本体１１の上面を覆う閉塞位置との間を回動自由に取り付けられている。コンピュータ本体１１は薄い箱形の筐体を有しており、その上面にはキーボード１３、本コンピュータ１０を電源オン／オフするためのパワーボタン１４、入力操作パネル１５、およびタッチパッド１６などが配置されている。
【００１３】
入力操作パネル１５は、押されたボタンに対応するイベントを入力する入力装置であり、複数の機能をそれぞれ起動するための複数の機能をそれぞれ起動するための複数のボタンを備えている。これらのボタン群には、輝度制御ボタン１５Ａも含まれている。
【００１４】
輝度制御ボタン１５Ａは、ＬＣＤ１７の表示輝度、つまり白色ＬＥＤの輝度を調整するためのボタンスイッチである。輝度制御ボタン１５Ａがユーザによって押下されたとき、白色ＬＥＤの輝度の増加（高輝度）および減少（低輝度）のいずれか一方を指示するイベントが発生する。本コンピュータ１０は、白色ＬＥＤの輝度を表示輝度レベル８〜１の８段階で切り替える輝度制御機能を有する。本実施形態においては、輝度制御ボタン１５Ａがユーザによって押される毎に、白色ＬＥＤの輝度は、表示輝度レベル８，→７，→６，・・・，→１，→８のようにトグルされる。
【００１５】
次に、図２を参照して、本コンピュータ１０のシステム構成について説明する。
【００１６】
本コンピュータ１０は、図２に示されているように、ＣＰＵ１１１、ノースブリッジ１１２、主メモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、エンベデッドコントローラ／キーボードコントローラＩＣ（ＥＣ／ＫＢＣ）１２４、および電源コントローラ１２５等を備えている。
【００１７】
ＣＰＵ１１１は、本コンピュータ１０の動作を制御するために設けられたプロセッサであり、ハードディスクドライブ（ＨＤＤ）１２１から主メモリ１１３にロードされる、オペレーティングシステム（ＯＳ）、および各種アプリケーションプログラムを実行する。
【００１８】
また、ＣＰＵ１１１は、ＢＩＯＳ−ＲＯＭ１２０に格納されたＢＩＯＳ（Basic Input Output System）も実行する。ＢＩＯＳはハードウェア制御のためのプログラムである。このＢＩＯＳは白色ＬＥＤ群の表示輝度を制御する機能を有している。ＢＩＯＳは、白色ＬＥＤの輝度を制御するために輝度制御テーブルを使用する。輝度制御テーブルには、表示輝度レベル８〜１それぞれに対応する輝度制御データが設定されている。
【００１９】
ノースブリッジ１１２はＣＰＵ１１１のローカルバスとサウスブリッジ１１９との間を接続するブリッジデバイスである。ノースブリッジ１１２には、表示輝度を制御するためのハードウェアロジックとして、輝度制御レジスタ１１２ＡおよびＰＷＭ（Pulse Width Modulation）回路１１２Ｂ等が設けられている。輝度制御レジスタ１１２Ａは、ＣＰＵ１１１によってリード／ライト可能なＩ／Ｏレジスタである。ＢＩＯＳは、目標の表示輝度レベルに対応する輝度制御データを輝度制御レジスタ１１２Ａに書き込む。ＰＷＭ回路１１２Ｂは、輝度制御レジスタ１１２Ａに書き込まれた輝度制御データに対応するＰＷＭ信号を発生する。ＰＷＭ信号のデューティ比は、輝度制御データの値によって変化する。ＰＷＭ回路１１２Ｂから発生されたＰＷＭ信号は、ディスプレイユニット１２内に設けられたＬＥＤ駆動回路２０に輝度制御信号として送られる。
【００２０】
ＬＥＤ駆動回路２０は、白色ＬＥＤ群１９を駆動する回路である。白色ＬＥＤ群１９は、ＬＣＤ１７の背面に設けられた導光板１８の一端部に取り付けられている。導光板１８によって、白色ＬＥＤ群１９からの光を面状に照射される。導光板１８と白色ＬＥＤ群１９とにより、バックライトが構成される。ＬＥＤ駆動回路２０は、複数の電源制御回路を有している。各電源制御回路は、ブーストＤＣ−ＤＣコンバータとして機能する。電源制御回路は白色ＬＥＤ群１９に流れる電流値を調整するために、ＰＷＭ回路１１２Ｂから送出されたＰＷＭ信号に応じて白色ＬＥＤ群１９に供給される駆動電圧の電圧値を調整する。
【００２１】
また、ノースブリッジ１１２には、主メモリ１１３をアクセス制御するメモリコントローラも内蔵されている。また、ノースブリッジ１１２には、ＡＧＰ（Accelerated Graphics Port）バスなどを介してグラフィクスコントローラ１１４との通信を実行する機能も有している。
【００２２】
グラフィクスコントローラ１１４は、本コンピュータ１０のディスプレイモニタとして使用されるＬＣＤ１７を制御する表示コントローラである。このグラフィクスコントローラ１１４はビデオメモリ（ＶＲＡＭ）１１４Ａを有しており、ＯＳ／アプリケーションプログラムによってビデオメモリ１１４Ａに書き込まれた表示データから、ディスプレイユニット１２のＬＣＤ１７に表示すべき表示イメージを形成する映像信号を生成する。
【００２３】
サウスブリッジ１１９は、ＬＰＣ（Low Pin Count）バス上の各デバイスを制御する。また、サウスブリッジ１１９は、ＨＤＤ１２１、ＯＤＤ１２２を制御するためのＩＤＥ（Integrated Drive Electronics）コントローラを内蔵している。さらに、サウスブリッジ１１９は、ＢＩＯＳ−ＲＯＭ１２０をアクセス制御するための機能も有している。
【００２４】
ＨＤＤ１２１は、各種ソフトウェア及びデータを格納する記憶装置である。このＨＤＤ１２１には、上述したオペレーティングシステムおよび各種アプリケーションシステムなどが格納されている。
【００２５】
光ディスクドライブ（ＯＤＤ）１２２は、ビデオコンテンツが格納されたＤＶＤ、ＣＤなどの記憶メディアを駆動するためのドライブユニットである。
【００２６】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、輝度制御ボタン１５Ａがユーザによって押された時、表示輝度切り替えイベントが入力されたことをＢＩＯＳに通知するために例えばＳＭＩ（System Management Interrupt）のような割り込み信号を発生する。また、エンベデッドコントローラ／キーボードコントローラＩＣ（ＥＣ／ＫＢＣ）１２４は、電源コントローラ１２５と協調して動作することにより、ユーザによるパワーボタン１４の操作に応じて、本コンピュータ１０をパワーオン／パワーオフする機能を有している。
【００２７】
次に図３，４を参照して、白色ＬＥＤ群１９およびＬＥＤ駆動回路２０の構成を説明する。白色ＬＥＤ群１９は、複数の配線層を有するプリント基板２２に複数の白色ＬＥＤが一方向に実装されて構成されている。プリント基板２２には、白色ＬＥＤが実装された領域には複数の発光エリアＥＡ１，ＥＡ２，ＥＡ３，…，ＥＡｎが設定されている。なお、プリント基板２２のかわりに、フレキシブルプリント基板を用いても良い。
【００２８】
第１の発光エリアＥＡ１には、白色ＬＥＤｄＡ１（第１の発光素子），ｄＢ１（第２の発光素子），ｄＣ１，…，ｄＤ１が、この順番で配置されている。第２の発光エリアＥＡ２には、白色ＬＥＤｄＡ２（第３の発光素子），ｄＢ２（第４の発光素子），ｄＣ２，…，ｄＤ２が、この順番で配置されている。発光エリアＥＡ３には、白色ＬＥＤｄＡ３，ｄＢ３，ｄＣ３，…，ｄＤ３が、この順番で配置されている。発光エリアＥＡｎには、白色ＬＥＤｄＡｎ，ｄＢｎ，ｄＣｎ，…，ｄＤｎが、この順番で配置されている。
【００２９】
そして、白色ＬＥＤｄＡ１，ｄＡ２，ｄＡ３，…，ｄＡｎは直列接続されている。白色ＬＥＤｄＢ１，ｄＢ２，ｄＢ３，…，ｄＢｎは直列接続されている。白色ＬＥＤｄＣ１，ｄＣ２，ｄＣ３，…，ｄＣｎは直列接続されている。白色ＬＥＤｄＤ１，ｄＤ２，ｄＤ３，…，ｄＤｎは直列接続されている。
【００３０】
直列接続された白色ＬＥＤｄＡ１，ｄＡ２，ｄＡ３，…ｄＡｎの一端、即ち白色ＬＥＤｄＡ１のアノード、および他端、即ち白色ＬＥＤｄＡｎのカソードは、ＬＥＤ駆動回路２０内の対応する電源制御回路２１Ａに接続されている。直列接続された白色ＬＥＤｄＢ１，ｄＢ２，ｄＢ３，…ｄＢｎの一端、即ち白色ＬＥＤｄＢ１のアノード、および他端、即ち白色ＬＥＤｄＢｎのカソードは、ＬＥＤ駆動回路２０内の対応する電源制御回路２１Ｂに接続されている。直列接続された白色ＬＥＤｄＣ１，ｄＣ２，ｄＣ３，…ｄＣｎの一端、即ち白色ＬＥＤｄＣ１のアノード、および他端、即ち白色ＬＥＤｄＣｎのカソードは、ＬＥＤ駆動回路２０内の対応する電源制御回路２１Ｃに接続されている。直列接続された白色ＬＥＤｄＤ１，ｄＤ２，ｄＤ３，…ｄＤｎの一端、即ち白色ＬＥＤｄＤ１のアノード、および他端、即ち白色ＬＥＤｄＤｎのカソードは、ＬＥＤ駆動回路２０内の対応する電源制御回路２１Ｄに接続されている。
【００３１】
各発光エリアＥＡｉ（ｉ＝１，２，３，…，ｎ）内の白色ＬＥＤは、駆動電圧を供給する電源制御回路２１Ａ，２１Ｂ，２１Ｃ，２１Ｄに応じて配置されている。
【００３２】
電源制御回路２１Ａは、直列接続された白色ＬＥＤｄＡ１，ｄＡ２，ｄＡ３，…，ｄＡｎに流れる電流を検知する機能を有する。白色ＬＥＤｄＡ１，ｄＡ２，ｄＡ３，…，ｄＡｎのカソード側はアースに接続されていないので、電源制御回路２１Ａは、他の電源制御回路２１Ｂ，２１Ｃ，２１Ｄに接続された白色ＬＥＤに流れる電流の影響を受けず、白色ＬＥＤｄＡ１，ｄＡ２，ｄＡ３，…，ｄＡｎに流れる電流を精度良く検知することができる。電源制御回路２１Ａは、電源制御回路２１Ａに輝度制御信号として入力されるＰＷＭ信号のデューティ比と検知された電流値とに基づいて、駆動電圧ＶｄＡの値を調整する。
【００３３】
電源制御回路２１Ｂは、直列接続された白色ＬＥＤｄＢ１，ｄＢ２，ｄＢ３，…，ｄＢｎに流れる電流を検知する機能を有する。白色ＬＥＤｄＢ１，ｄＢ２，ｄＢ３，…，ｄＢｎのカソード側はアースに接続されていないので、電源制御回路２１Ｂは、他の電源制御回路２１Ａ，２１Ｃ，２１Ｄに接続された白色ＬＥＤに流れる電流の影響を受けず、白色ＬＥＤｄＢ１，ｄＢ２，ｄＢ３，…，ｄＢｎに流れる電流を精度良く検知することができる。電源制御回路２１Ｂは、電源制御回路２１Ｂに輝度制御信号として入力されるＰＷＭ信号のデューティ比と検知された電流値とに基づいて、駆動電圧ＶｄＢの値を調整する。
【００３４】
電源制御回路２１Ｃは、直列接続された白色ＬＥＤｄＣ１，ｄＣ２，ｄＣ３，…，ｄＣｎに流れる電流を検知する機能を有する。白色ＬＥＤｄＣ１，ｄＣ２，ｄＣ３，…，ｄＣｎのカソード側はアースに接続されていないので、電源制御回路２１Ｃは、他の電源制御回路２１Ａ，２１Ｂ，２１Ｄに接続された白色ＬＥＤに流れる電流の影響を受けず、白色ＬＥＤｄＣ１，ｄＣ２，ｄＣ３，…，ｄＣｎに流れる電流を精度良く検知することができる。電源制御回路２１Ｃは、電源制御回路２１Ｃに輝度制御信号として入力されるＰＷＭ信号のデューティ比と検知された電流値とに基づいて、駆動電圧ＶｄＣの値を調整する。
【００３５】
電源制御回路２１Ｄは、直列接続された白色ＬＥＤｄＤ１，ｄＤ２，ｄＤ３，…，ｄＤｎに流れる電流を検知する機能を有する。白色ＬＥＤｄＤ１，ｄＤ２，ｄＤ３，…，ｄＤｎのカソード側はアースに接続されていないので、電源制御回路２１Ｄは、他の電源制御回路２１Ａ，２１Ｂ，２１Ｃに接続された白色ＬＥＤに流れる電流の影響を受けず、白色ＬＥＤｄＤ１，ｄＤ２，ｄＤ３，…，ｄＤｎに流れる電流を精度良く検知することができる。電源制御回路２１Ｄは、電源制御回路２１Ｄに輝度制御信号として入力されるＰＷＭ信号のデューティ比と検知された電流値とに基づいて、駆動電圧ＶｄＤの値を調整する。輝度制御信号の値は、ＰＷＭ回路１１２Ｂから発生されるＰＷＭ信号の値を示す。
【００３６】
図３に示すように、同一発光エリア内の各白色ＬＥＤを別々の電源駆動回路で白色電流に流れる電流の制御を行う。これによって、ＬＥＤ素子のバラツキが発生しても、輝度ムラが改善され、かつ安定した駆動を行うことが出来る。また、電源制御回路２１Ａ，２１Ｂ，２１Ｃ，２１Ｄは精度良く白色ＬＥＤに流れる電流を検知することができるので、検知された電流によるフィードバックの精度も高くなり、輝度ムラを改善することができる。
【００３７】
従来の白色ＬＥＤを光源として用いた場合、同一発光エリア内の白色ＬＥＤは同一の電源駆動回路で駆動している。また、白色ＬＥＤに駆動電圧を供給するための端子はプリント基板の端部に設けられることが多い。従って、発光エリアに応じて、端子と直列接続された白色ＬＥＤとを接続する配線パターンの長さが異なる。ところが、配線パターン自身の抵抗により、配線パターンの長さが異なると、発光エリア（電源制御回路）に応じて駆動電圧が大幅に変動する。その結果、発光エリア間の輝度が変動しやすくなる。
【００３８】
本実施形態の場合、発光エリア内の各白色ＬＥＤは、それぞれ異なる電源制御回路によって駆動されている。よって、白色ＬＥＤｄＡ１，ｄＡ２，ｄＡ３，…，ｄＡｎを直列接続するための配線パターン、白色ＬＥＤｄＢ１，ｄＢ２，ｄＢ３，…，ｄＢｎを直列接続するための配線パターン、白色ＬＥＤｄＣ１，ｄＣ２，ｄＣ３，…，ｄＣｎを直列接続するための配線パターン、白色ＬＥＤｄＤ１，ｄＤ２，ｄＤ３，…，ｄＤｎを直列接続するための配線パターンの長さが均一化される。従って、（電源制御回路）に応じて駆動電圧が大幅に変動することがなく、ＬＣＤ１７面内の輝度が均一になる。
【００３９】
また、従来の白色ＬＥＤを光源として用いた場合、同一発光エリア内の白色ＬＥＤは同一の電源駆動回路で駆動している。その結果、何れかの発光エリアの白色ＬＥＤが点灯できなくなった場合、ブロック状に画面が認識出来ない部分が発生してしまう。ところが、本実施形態の場合、何れかの電源制御回路に接続された白色ＬＥＤを点灯することが出来なくなった場合、図５に示すように、ブロック状に認識できない部分が発生するのではないので、ＬＣＤ１７に表示された情報を認識する事ができる。
【００４０】
ところで、画面サイズが大きくなった場合、並列で駆動させる数が多くなり、電圧を大きくする必要があり、白色ＬＥＤに接続する配線パターンを広くする必要がある。配線パターンが広くするために、プリント基板の外形が大きくなる。図６に配線パターンを広くせずに、大画面化できる構成を示す。
【００４１】
図６に示すように、導光板１８の一端部に、白色ＬＥＤｄＡ１，ｄＢ１，ｄＣ１，ｄＤ１，…，ｄＡｎ，ｄＢｎ，ｄＣｎ，ｄＤｎが実装された第１のプリント基板２０１Ａ、白色ＬＥＤｄＥ１，ｄＦ１，ｄＧ１，ｄＨ１，…，ｄＥｎ，ｄＦｎ，ｄＧｎ，ｄＨｎが実装された第２のプリント基板２０１Ｂが取り付けられている。
【００４２】
第１のプリント基板２０１Ａには電源制御回路２１Ａ，２１Ｂ，２１Ｃ，２１Ｄ，から出力された駆動電圧を白色ＬＥＤｄＡ１，ｄＢ１，ｄＣ１，ｄＤ１，…，ｄＡｎ，ｄＢｎ，ｄＣｎ，ｄＤｎに供給するための第１の端子２０２Ａが設けられている。第２のプリント基板２０１Ｂには第３の電源制御回路および第４の電源制御回路を含む複数の電源制御回路から出力された駆動電圧を白色ＬＥＤｄＥ１，ｄＦ１，ｄＧ１，ｄＨ１，…，ｄＥｎ，ｄＦｎ，ｄＧｎ，ｄＨｎに供給するための第２の端子２０２Ｂが設けられている。第１の端子２０２Ａと第２の端子２０２Ｂとは、導光板１８を挟むように配置されている。導光板１８の左右方向に駆動電圧を供給するための端子２０２Ａ，２０２Ｂを設けることによって、配線パターンが広くならず、外形が大きくなる事を抑える事が出来る。
【００４３】
また、ＰＷＭ回路１１２Ｂ、およびグラフィックスコントローラ１１４は、コンピュータ本体１１内に設けられている。ＬＣＤ１７に画像を表示させるためには、ＰＷＭ回路１１２ＢからのＰＷＭ信号、およびグラフィックスコントローラ１１４からの映像信号の複数の系統の信号をディスプレイユニット１２に供給する必要がある。複数の系統の信号を供給するためには、ディスプレイユニット１２内に複数の信号を供給するために複数のケーブルを必要とし、ケーブルを配置するための配置面積が必要となる。図７に参照してケーブルの配置面積を抑制することができる構成を示す。
【００４４】
図７に示すように、導光板１８の裏面側にインターフェース基板２１１が配置されている。インターフェース基板２１１には、電源制御回路２１Ａ，２１Ｂ，２１Ｃ，２１Ｄ、第１の端子２１２および第２の端子２１３が設けられている。第１の端子２１２には、第１のフレキシブルプリント基板２１４が接続されている。第１のフレキシブルプリント基板２１４には、コンピュータ本体１１から供給されＰＷＭ信号、および映像信号が供給されている。
【００４５】
第２の端子２１３にはプリント基板２２と接続された第２のフレキシブルプリント基板２１５が接続されている。そして、インターフェース基板２１１に供給されたＰＷＭ信号に応じて電源制御回路２１Ａ，２１Ｂ，２１Ｃ，２１Ｄは、駆動電圧ＶｄＡ，ＶｄＢ，ＶｄＣ，ＶｄＤを調整する。そして、駆動電圧ＶｄＡ，ＶｄＢ，ＶｄＣ，ＶｄＤが、インターフェース基板２１１とプリント基板２２とを接続する第２のフレキシブルプリント基板２１５によって、プリント基板２２に供給される。
【００４６】
この構成であると、プリント基板２２をインターフェース基板２１１に接続することによって、ＰＷＭ信号、および映像信号を１個の第１の端子２１２によって供給することができる。その結果、駆動電圧ＶｄＡ，ＶｄＢ，ＶｄＣ，ＶｄＤ、および映像信号を供給するためのケーブルが、一つの第１のフレキシブル基板２１４ですみ、配置面積の増大を抑制することができる。
【００４７】
なお、上述したノートブック型パーソナルコンピュータ１０では、ＬＥＤ駆動回路２０がディスプレイユニット１２内に配置されている。しかし、図８に示すように、コンピュータ本体１１内にＬＥＤ駆動回路２０を配置しても良い。
【００４８】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４９】
【図１】本発明の一実施形態に係る情報処理装置の外観を示す斜視図。
【図２】図１の情報処理装置のシステム構成の例を示すブロック図。
【図３】図１の情報処理装置に設けられたＬＥＤ駆動回路およびＬＥＤ群の構成の例を示すブロック図。
【図４】図３の電源制御回路および白色ＬＥＤの構成を示す図。
【図５】何れかの電源制御回路に接続された白色ＬＥＤが点灯しなくなった場合のＬＣＤの表示例を示す図。
【図６】白色ＬＥＤが実装されたプリント基板、および導光板を示す図。
【図７】白色ＬＥＤが実装されたプリント基板、およびプリント基板に接続されたインターフェース基板を示す図。
【図８】情報処理装置のシステム構成の変形例を示すブロック図。
【符号の説明】
【００５０】
１０…ノートブック型パーソナルコンピュータ，１１…コンピュータ本体，１２…ディスプレイユニット，１３…キーボード，１４…パワーボタン，１５…入力操作パネル，１５Ａ…輝度制御ボタン，１６…タッチパッド，１７…ＬＣＤ，１８…導光板，１９…ＬＥＤ群，２０…ＬＥＤ駆動回路，２１Ａ，２１Ｂ，２１Ｃ，２１Ｄ…電源制御回路，２２…プリント基板，１１１…ＣＰＵ，１１２…ノースブリッジ，１１２Ａ…輝度制御レジスタ，１１２Ｂ…ＰＷＭ回路，１１３…主メモリ，１１４…グラフィクスコントローラ，１１４Ａ…ビデオメモリ，１１９…サウスブリッジ，１２０…ＢＩＯＳ−ＲＯＭ，１２１…ハードディスクドライブ，１２２…光ディスクドライブ，１２４…キーボードコントローラＩＣ，１２５…電源コントローラ，ｄＡ１、ｄＡ２、ｄＡ３、…、ｄＡｎ…白色ＬＥＤ，ｄＢ１、ｄＢ２、ｄＢ３、…、ｄＢｎ…白色ＬＥＤ，ｄＣ１、ｄＣ２、ｄＣ３、…、ｄＣｎ…白色ＬＥＤ，ｄＤ１、ｄＤ２、ｄＤ３、…、ｄＤｎ…白色ＬＥＤ
【図１】
0005414141.tif 000002
【図２】
0005414141.tif 000003
【図３】
0005414141.tif 000004
【図４】
0005414141.tif 000005
【図５】
0005414141.tif 000006
【図６】
0005414141.tif 000007
【図７】
0005414141.tif 000008
【図８】
0005414141.tif 000009